(57)【要約】【課題】  携帯用通信機器が落下等の外的衝撃を受けたとき、キーボタンを有するキーシートの筐体に対する相対的位置ずれの発生を防止する。【解決手段】  携帯用通信機器のキー入力装置部３において、プリント基板６上に先端が鋭利な形状の突起物７を実装固定し、突起物７がメタルドームのシート４を貫通して先端がラバーシート３に突き刺さる。ラバーシート３上には筐体の開口部１ｂから外部に露出して操作・押下される複数のキーボタン３ａが一体化されている。機器が落下等の外的衝撃を受けたときラバーシート３を弾性変形させる力が働くが、突き刺ささっている突起物７によりその弾性変形が規制される。従ってキーボタン３ａが開口部１ｂから筐体内部に潜り込んでしまい操作不能となる事態が防止され、落下等の外的衝撃に対するキー入力装置部３の信頼性が向上する。【選択図】      図３
2006066157.tif 000002
【特許請求の範囲】
【請求項１】
上ケースと下ケースを有する筐体内に複数のキーボタンが形成されたキーシート及びプリント基板を実装し、且つ前記複数のキーボタンの操作部を露出させる開口部が前記上ケースに形成されている携帯用通信機器のキー入力装置構造において、
前記開口部に対する前記キーシートの相対的な位置ずれを規制する規制部材を前記キーシートに近接する固定部位から前記キーシートに向けて突出させたことを特徴とするキー入力装置構造。
【請求項２】
前記規制部材は先端が鋭利な形状の突起物であり、この突起物が前記プリント基板に実装固定され、前記鋭利な先端が前記キーシートと前記プリント基板の間にあるカバーシートを貫通して前記キーシートに差し込まれていることを特徴とする請求項１記載のキー入力装置構造。
【請求項３】
前記突起物の前記プリント基板への実装固定が半田付けによることを特徴とする請求項２記載のキー入力装置構造。
【請求項４】
前記突起物の前記プリント基板への実装固定が接着剤による接着であることを特徴とする請求項２記載のキー入力装置構造。
【請求項５】
前記突起物の先端が円錐状の絞り形状となっていることを特徴とする請求項２ないし４のいずれかに記載のキー入力装置構造。
【請求項６】
前記規制部材は先端が鋭利な形状の突起物であり、この突起が前記キーシートと前記プリント基板の間にあるカバーシートの前記プリント基板に相対する面に接着固定され、前記鋭利な先端が前記カバーシートを貫通して前記キーシートに差し込まれていることを特徴とする請求項１記載のキー入力装置構造。
【請求項７】
上ケースと下ケースを有する筐体内に複数のキーボタンが形成されたキーシート及びプリント基板を実装し、さらに前記キーシートと前記プリント基板の間に前記プリント基板上に設けたフレームを有しこのフレーム上に前記プリント基板からコネクタ接続されたフレキシブル基板を設け且つ前記複数のキーボタンの操作部を露出させる開口部が前記上ケースに形成されている携帯用通信機器のキー入力装置構造において、
前記開口部に対する前記キーシートの相対的な位置ずれを規制する規制部材を前記フレームに一体形成し、この規制部材が少なくとも前記フレキシブル基板を貫通して前記キーシートに差し込まれていることを特徴とするキー入力装置構造。
【請求項８】
前記規制部材による位置ずれ規制を補助する補助規制部材を前記上ケースから前記キーシートに向けて突出させたことを特徴とする請求項１ないし７のいずれかに記載のキー入力装置構造。
【請求項９】
前記キーシートが弾性ゴムからなるラバーシートであることを特徴とする請求項１ないし８のいずれかに記載のキー入力装置構造。
【請求項１０】
請求項１ないし９のいずれか１項に記載のキー入力装置構造を有することを特徴とする携帯用通信機器。
【発明の詳細な説明】
【技術分野】
【０００１】
本発明は携帯用通信機器に関し、特に携帯用通信機器に加わる外的衝撃によって生じるキー入力装置部の位置ずれを規制するキー入力装置構造及びこの構造を有する携帯用通信機器に関する。
【背景技術】
【０００２】
近年、携帯用通信機器、特に携帯電話機の市場には様々なメーカが参入して多種多様な端末を市場投入しており、通話だけでなく、インターネットや電子メール等も利用可能な携帯情報端末機器として市場が拡大されている。このような携帯用通信機器においては、とりわけキー入力装置部は重要な機能である。
【０００３】
また一方で携帯用通信機器は、使用時や携帯時にユーザーが不意に落下させてしまう危険性があるので、重要機能であるキー入力装置部は落下等の衝撃に対し十分耐えうる構造が要求される。
【０００４】
従来の携帯用通信機器として、ここでは携帯電話機を例示し、そのキー入力装置構造について説明する。図１に一般的な携帯電話機の外観を斜視図で示し、図１１に図１のＡ−Ａ断面として従来のキー入力装置構造の断面図を示す。
【０００５】
図１に示すように一般的な携帯電話機は、樹脂等で形成された上下一対の上ケース１及び下ケース２で構成されている。上ケース１の上面側には液晶を具備する表示装置部と、携帯電話機の使用時に利用する番号キー等を配置したキー入力装置部３が具備されている。キー入力装置部３は、図１１に示すように、上ケース１と下ケース２を有する筐体内に複数のキーボタン１３ａが形成されたラバーシート１３ｂ、及びプリント基板１６が実装される。
【０００６】
上ケース１の上面の開口部１１ｂには、弾性ゴムで形成されたラバーシート１３ｂに接着にて一体化された複数のキーボタン１３ａがそれぞれ所定の位置に貫通設置されている。ラバーシート１３ｂは、上ケース１と一体形成されたリブ１１ａにて外形を保持されており、また下ケース２と一体形成される複数の支持部１２ａにて支持されたプリント基板１６と上ケース１に挟まれて実装される。
【０００７】
プリント基板１６の下面には電気部品１６ａが実装されており、一方、プリント基板１６の上面には回路形成された複数の導電部１６ｂがある。さらに複数の導電部１６ｂを各々覆うように、片面全体に粘着材が塗布されたポリエステルフィルム等の材質の極薄のシート１４が設けられる。このシート１４には粘着固定された極薄金属板等の導通体で球状面を形成する皿形状をしたドーム１５が貼り付け固定されている。ユーザーがキー操作した場合に、ラバーシート１３ｂの凸部１３ｃがドーム１５を弾性変形させ、プリント基板１６の導電部１６ｂを導通させてキー入力を検知する構成となっている。
【０００８】
このような従来のキー入力装置部３の構成においては、落下等による外的衝撃に対して十分に耐えうる構造を特に有してはいない。
【０００９】
一方、従来の携帯用通信機器において、外的な衝撃に対応する対策を施した構造を有する先行技術が、以下に示す特許文献１に開示されている。
【００１０】
【特許文献１】特開２００２−３４１９９５号公報（第３−４頁、図３−４）  図１３に特許文献１に開示されたキー入力装置部の断面図を示す。上ケース２１ａと下ケース２１ｂを有する筐体２１内には、複数のキーボタン２２が形成されたキーシート２３、メタルドーム２５ａを有するメタルドームシート２５、及びプリント基板２６が内蔵されている。キーシート２３には、上ケース２１ａを内側から支持する複数の突起２４が形成される。上ケース２１ａに外的衝撃が加わったとき、上ケース２１ａを複数の突起２４によって支え、上ケース２１ａが変形するのを防止し、上ケース２１ａによってキーボタン２２が押されないようになっている。
【発明の開示】
【発明が解決しようとする課題】
【００１１】
上述した従来技術による携帯用通信機器のキー入力装置構造において、図１１に示した従来のキー入力装置部３では外的衝撃に耐えうる構造を特に有していないので、次のような問題がある。
【００１２】
即ち、図１２に示すように、落下等の外的衝撃を受けると、弾性ゴムで形成されたラバーシート１３ｂはシート１４の面上を滑るように弾性変形する。このためラバーシート１３ｂに一体化されたキーボタン１３ａが位置ずれし、開口部１１ｂから上ケース１の筐体内部に潜りこんでしまい、キー操作ができないという問題が発生する。
【００１３】
また、図１３に示した特許文献１におけるキー入力装置部では、キーシート２３に上ケース２１ａを支持する複数の突起２４を設けている。しかし、キーシート２３は本来、キーボタン２２の押下力を正確にメタルドーム２５ａに伝えるべく柔軟性のある材料（弾性ゴムまたは樹脂成形品）からなるものである。従ってこのような柔軟性材料のキーシート２３に設けた突起２４では、上ケース２１ａの変形を支えるだけの力を発揮するには不充分と考えられ、またその力を発揮するために突起２４の形状が大きくなり機器の質量がアップしてしまう問題がある。なおキーシート２３を樹脂成形品とし、突起２４の部分のみ高い硬度となるような二色成形も考えられるが、この場合は製造コストアップが避けられないという問題がある。
【００１４】
本発明の目的は、上記従来の問題点を解消し、携帯電話機などの携帯用通信機器において、落下等の外的衝撃を受けても、キーボタンを構成するキーシートが筐体に対し相対的に位置ずれしないように規制することにより、落下等の衝撃に対する信頼性を向上したキー入力装置構造を提供することにある。
【課題を解決するための手段】
【００１５】
本発明のキー入力装置構造は、上ケースと下ケースを有する筐体内に複数のキーボタンが形成されたキーシート及びプリント基板を実装し、且つ前記複数のキーボタンの操作部を露出させる開口部が前記上ケースに形成されている携帯用通信機器のキー入力装置構造において、
前記開口部に対する前記キーシートの相対的な位置ずれを規制する規制部材を前記キーシートに近接する固定部位から前記キーシートに向けて突出させたことを特徴とする。
【００１６】
このキー入力装置構造において、前記規制部材は先端が鋭利な形状の突起物であり、この突起物が前記プリント基板に実装固定され、前記鋭利な先端が前記キーシートと前記プリント基板の間にあるカバーシートを貫通して前記キーシートに差し込まれていることを特徴とし、前記突起物の前記プリント基板への実装固定が半田付けによること、あるいは接着剤による接着であることでもよく、またさらに前記突起物の先端が円錐状の絞り形状となっていてもよい。
【００１７】
またこのキー入力装置構造において、前記規制部材は先端が鋭利な形状の突起物であり、この突起物が前記キーシートと前記プリント基板の間にあるカバーシートの前記プリント基板に相対する面に接着固定され、前記鋭利な先端が前記カバーシートを貫通して前記キーシートに差し込まれていることを特徴としてもよい。
【００１８】
本発明の他のキー入力装置構造は、上ケースと下ケースを有する筐体内に複数のキーボタンが形成されたキーシート及びプリント基板を実装し、さらに前記キーシートと前記プリント基板の間に前記プリント基板上に設けたフレームを有しこのフレーム上に前記プリント基板からコネクタ接続されたフレキシブル基板を設け且つ前記複数のキーボタンの操作部を露出させる開口部が前記上ケースに形成されている携帯用通信機器のキー入力装置構造において、
前記開口部に対する前記キーシートの相対的な位置ずれを規制する規制部材を前記フレームに一体形成し、この規制部材が少なくとも前記フレキシブル基板を貫通して前記キーシートに差し込まれていることを特徴とする。
【００１９】
さらにこれらのキー入力装置構造において、前記規制部材による位置ずれ規制を補助する補助規制部材を前記上ケースから前記キーシートに向けて突出させたことを特徴としてもよく、また前記キーシートが弾性ゴムからなるラバーシートであることを特徴としてもよい。
【００２０】
また本発明の携帯用通信機器は、上述したいずれかのキー入力装置構造を有するものとする。
【００２１】
このような本発明によれば、携帯電話機などの携帯用通信機器が落下等の外的衝撃を受けても、キーボタンを構成するキーシートが筐体に対し相対的に位置ずれしないように規制する手段を設けることにより、落下等の衝撃に対するキー入力装置構造の信頼性を向上することができる。
【発明の効果】
【００２２】
第１の効果は、ユーザーが携帯電話機等の携帯用通信機器を不意に落下させて外的衝撃を受けても、耐落下衝撃の品質が向上した携帯用通信機器が提供できることである。
【００２３】
その理由は、キーボタンを構成するキーシートの操作開口部に対する位置ずれを規制する部材をキーシートに向けて突出させる構成としたことにより、落下等の外的衝撃によるキーシートのずれを規制し、キー入力装置部のキーボタンの操作開口部内への潜り込みが防止できるためである。
【００２４】
第２の効果は、上述の耐落下衝撃対策を施しても、携帯用通信機器の質量への影響が少ないことである。
【００２５】
その理由は、位置ずれを規制する部材として非常に小さい部品を使用するだけでよいため、機器の質量アップを来たさないためである。
【発明を実施するための最良の形態】
【００２６】
次に、本発明について図面を参照して説明する。本発明の携帯用通信機器としては携帯電話機を例示し、そのキー入力装置構造について説明する。
【００２７】
図１は一般的な携帯電話機の外観を示す斜視図、図２は本発明の第１の実施の形態のキー入力装置構造を図１のＡ−Ａ矢視で示す断面図、図３は図２の一点鎖線円内を拡大して示す断面図、図４は図２の要部を示す部分斜視図である。
【００２８】
図１に示すように一般的な携帯電話機は、樹脂等で形成された上下一対の上ケース１及び下ケース２で構成されている。上ケース１の上面側には液晶を具備する表示装置部と、携帯電話機の使用時に利用する番号キー等を配置したキー入力装置部３が具備されている。第１の実施の形態のキー入力装置部３には、図２に示すように、上ケース１と下ケース２を有する筐体内に複数のキーボタン３ａが形成されたラバーシート３ｂ、及びプリント基板６が実装される。
【００２９】
上ケース１の上面の開口部１ｂには、弾性ゴムで形成されたラバーシート３ｂに接着にて一体化された複数のキーボタン３ａが露出するようそれぞれ所定の位置に貫通設置されている。ラバーシート３ｂは、上ケース１と一体形成されたリブ１ａにて外形を保持されており、また下ケース２と一体形成される複数の支持部２ａにて支持されたプリント基板６と上ケース１に挟まれて実装される。
【００３０】
図３を併せて参照すると、プリント基板６の下面には電気部品６ａが実装されており、一方、プリント基板６の上面には回路形成された複数の導電部６ｂがある。さらに複数の導電部６ｂを各々覆うように、片面全体に粘着材が塗布されたポリエステルフィルム等の材質の極薄のシート４が設けられる。このシート４には粘着固定された極薄金属板等の導通体で球状面を形成する皿形状をしたドーム５が貼り付け固定されている。ユーザーがキー操作した場合に、ラバーシート３ｂの凸部３ｃがドーム５を弾性変形させ、プリント基板６の導電部６ｂを導通させてキー入力を検知する構成となっている。
【００３１】
図３に拡大して示すように、プリント基板６上の所定位置には、ラバーシート３ｂの位置ずれを規制するための部材である突起物７が半田付けにて表面実装固定される。突起物７は、ステンレス材など硬質な金属製板材からなって先端部が鋭利な形状を呈し、図４に示す例のように、プリント基板６に実装固定される所定形状部分の両端２箇所を三角形状に切り起こして、鋭利な先端部を形成している。
【００３２】
シート４には突起物７と相対する位置に複数の穴４ａが開けられている。プリント基板６上にシート４及びキー入力装置部３を組み付けると、突起物７がシート４の穴４ａを貫通してラバーシート３ｂに突き刺さるように差し込まれる。
【００３３】
なお、突起物７のプリント基板６上への実装固定は、半田付けによる固定に限らず、接着剤を用いた接着による実装固定であってもよい。
【００３４】
図４にシート４とプリント基板６の斜視図を示すように、プリント基板６には表面実装された複数の突起物７、及び複数のドーム５が粘着材により裏面に貼付け固着されたシート４が貼り付け具備される。プリント基板６には、穴４ａを貫通した突起物７とドーム５が交互に配置され、また別の位置には複数のＬＥＤ（発光ダイオード）８がドーム５と交互に配置される。複数のＬＥＤ８の発光により、暗闇でもユーザがキー入力装置部３を容易に認識でき、操作が可能となる。
【００３５】
このような構成の第１の実施の形態のキー入力装置部３の動作について説明する。
【００３６】
ユーザが携帯電話機を不意に落下させたりして外的衝撃が加わったとする。この衝撃力が上ケース１及び下ケース２を介して内部に伝わり、キー入力装置部３のラバーシート３ｂを弾性変形させようとする。しかし、ラバーシート３ｂにはプリント基板６に実装固定された突起物７の鋭利な先端部がシート４を貫通して突き刺さっている。従ってラバーシート３ｂは突起物７によってプリント基板６に固着されたと同様となり、衝撃力により弾性変形することなく、プリント基板６に対してずれを生じることがない。言い換えれば、ラバーシート３ｂは上ケース１の開口部１ｂに対する相対的な位置ずれを規制されることとなる。即ち、キーボタン３ａが開口部１ｂから上ケース１の筐体内部に潜りこんでしまうことが防止できる。万一、強い衝撃力によってラバーシート３ｂが多少変形したとしても、形状復元したときにはキーボタン３ａは所定の位置に保持され、操作できないという事態は回避される。
【００３７】
また、この第１の実施の形態のキー入力装置部３においては、突起物７はプリント基板６への自動半田付け搭載が可能な形状であるため、製造時の組立て工数が削減でき、人手による半田搭載と比べてコスト削減が可能となる。
【００３８】
次に、本発明の第２の実施の形態について説明する。第２の実施の形態では、上述した第１の実施の形態における突起物７の形状のみが異なる。図５（ａ）及び（ｂ）は第２の実施の形態における突起物を示す斜視図及び断面図、図６はシートとプリント基板を示す斜視図である。
【００３９】
図５に示すように、第２の実施の形態の突起物７ａは金属板金を絞り形状として先端の鋭利部分を円錐状にし、他端部にフランジ７ｂを形成している。フランジ７ｂを形成したのは、プリント基板６への実装時の半田付けまたは接着の強度を確保するためである。
【００４０】
図６に示すように、プリント基板６には表面実装された複数の突起物７ａ、及び複数のドーム５を有するシート４ｂが貼り付け具備される。またシート４ｂの穴４ｃを貫通した突起物７ａとドーム５が交互に配置され、また別の位置には複数のＬＥＤ８がドーム５と交互に配置される。第２の実施の形態における利点は、シート４ｂをプリント基板６の所定の位置に粘着固定するときに、突起物７ａが円錐形状であるため穴４ｃに突起物７ａを貫通させるのが容易であり、組み立て性が向上することである。
【００４１】
次に、本発明の第３の実施の形態について説明する。第３の実施の形態では、上述した第１の実施の形態における突起物７の固定位置が異なる。図７は第３の実施の形態における突起物の固定状況を示す断面図、図８はシートとプリント基板を示す斜視図である。
【００４２】
図７及び図８に示すように、第３の実施の形態の突起物７ｃは、シート４ｄの裏面、即ちプリント基板６に相対する面にドーム５と同様に粘着固定される。突起物７ｃの鋭利な先端部は、シート４ｄの穴４ｅを貫通してラバーシート３ｂ側に向けて突出する。シート４ｄには複数の突起物７ｃとドーム５が交互に配置され、また別の位置には複数のＬＥＤ８がドーム５と交互に配置される。このようなシート４ｄをプリント基板６の所定の位置に粘着固定する。第３の実施の形態における利点は、プリント基板６側に鋭利な突起部を有する部品がないためシート４ｄのプリント基板６への固定作業が容易になり、組み立て性が向上することである。
【００４３】
次に、本発明の第４の実施の形態について説明する。第４の実施の形態では、上述した第１の実施の形態におけるプリント基板６上の構成が異なる。図９は第４の実施の形態のキー入力装置構造を示す断面図である。このキー入力装置構造において、第１の実施の形態と同様な構成の説明は省略し、異なる構成部分について説明する。
【００４４】
プリント基板６には、携帯電話機の機能向上及び小型化に伴う部品実装効率向上のため、下面に電気部品６ａが実装されるとともに、上面にも電気部品６ｃが実装される。これに伴いプリント基板６上には、ラバーシート３ｂとの間に金属または樹脂製のフレーム９が設けられ、電気部品６ｃを保護するように覆っている。フレーム９の上面には、コネクタ６ｇを介しプリント基板６と電気的接続されたフレキシブル基板６ｄが実装配置される。フレキシブル基板６ｄの上面には複数の導電部６ｆが配線され、シート４ｆ下面のドーム５と相対している。
【００４５】
フレーム９の上面には、フレーム９の一部を切り起こして先端部を鋭利にした、あるいは樹脂成形により先端鋭利とした複数の規制部材としての突起物９ａが一体に形成される。この突起物９ａが、フレキシブル基板６ｄに開けられた穴６ｅ及びシート４ｆに開けられた穴４ｇを貫通し、ラバーシート３ｂに突き刺さるように差し込まれる。従って落下等の外的衝撃によりラバーシート３ｂに弾性変形させる力が加わってもこれを阻止し、ラバーシート３ｂの上ケース1の開口部１ｂに対する相対的な位置ずれが規制される。第４の実施の形態における利点は、突起物９ａをフレーム９に一体形成できるため、部材が削減できてコストダウンが図れることである。
【００４６】
次に、本発明の第５の実施の形態について説明する。第５の実施の形態では、上述した第１ないし第４の実施の形態の構成に加え、上ケースに補助規制部材を追加したものである。図１０は第５の実施の形態のキー入力装置構造の要部を拡大して示す断面図である。
【００４７】
図１０に示すように、上ケース1の下面には補助規制部材としての複数のボス１ｃがラバーシート３ｇに向けて突出するように設けられる。
【００４８】
キー入力装置部３としては、硬質プラスチック製のキーボタン３ｄ及びラバーシート３ｇの表面をポリエステルフィルム材のシート３ｅが覆うように一体形成される。またラバーシート３ｇの下には第１の実施の形態にて説明したと同様に、シート４、ドーム５、プリント基板６、導電部６ｂがあり、プリント基板６上の突起物７がラバーシート３ｇに突き刺さっている。
【００４９】
これに加え上ケース1の下面に設けられたボス１ｃが、シート３ｅの穴３ｆを貫通しラバーシート３ｇに設けられた凹部３ｈに差し込まれる。従って落下等の外的衝撃によりラバーシート３ｇに加わる弾性変形力が、突起物７によって規制されるだけでなく、補助規制部材であるボス１ｃによっても規制される。即ち、ラバーシート３ｇの上ケース1の開口部に対する相対的な位置ずれがさらに強固に規制される。
【００５０】
第５の実施の形態における利点は、第１ないし第４の実施の形態のいずれかの構成に補助規制部材を追加具備することで、外的衝撃によるキー入力操作不具合に対する信頼性を一層向上できることである。
【００５１】
なお上述した第１ないし第５の実施の形態においては、本発明を適用する携帯用通信機器として携帯電話機を例示した。しかしこれに限らず、本発明はＰＨＳ（Ｐｅｒｓｏｎａｌ  Ｈａｎｄｙｐｈｏｎｅ  Ｓｙｓｔｅｍ）、自動車電話機、さらにはキーボードや操作ボタンを有するＰＤＡ（Ｐｅｒｓｏｎａｌ  Ｄｅｇｉｔａｌ  Ａｓｓｉｓｔａｎｔ）機器、携帯機器にも適用可能である。
【図面の簡単な説明】
【００５２】
【図１】一般的な携帯電話機の外観を示す斜視図である。
【図２】本発明の第１の実施の形態のキー入力装置構造を図１のＡ−Ａ矢視で示す断面図である。
【図３】図２の一点鎖線円内を拡大して示す断面図である。
【図４】図２の要部を示す部分斜視図である。
【図５】本発明の第２の実施の形態における突起物を示す（ａ）は斜視図、（ｂ）は断面図である。
【図６】第２の実施の形態のシートとプリント基板を示す斜視図である。
【図７】本発明の第３の実施の形態における突起物の固定状況を示す断面図である。
【図８】第３の実施の形態のシートとプリント基板を示す斜視図である。
【図９】本発明の第４の実施の形態のキー入力装置構造を示す断面図である。
【図１０】本発明の第５の実施の形態のキー入力装置構造の要部を拡大して示す断面図である。
【図１１】従来のキー入力装置構造の一例を示す断面図である。
【図１２】従来の一例にて落下等の外的衝撃を受けたときの状況を示す断面図である。
【図１３】従来のキー入力装置構造の他の例を示す断面図である。
【符号の説明】
【００５３】
１、２１ａ    上ケース
１ａ、１１ａ    リブ
１ｂ、１１ｂ    開口部
１ｃ    ボス
２、２１ｂ    下ケース
２ａ、１２ａ    支持部
３    キー入力装置部
３ａ、３ｄ、１３ａ、２２    キーボタン
３ｂ、３ｇ、１３ｂ    ラバーシート
３ｃ、１３ｃ    凸部
３ｅ、４、４ｂ、４ｄ、４ｆ、１４    シート
３ｆ、４ａ、４ｃ、４ｅ、４ｇ、６ｅ    穴
３ｈ    凹部
５、１５    ドーム
６、１６、２６    プリント基板
６ａ、６ｃ、１６ａ    電気部品
６ｂ、６ｆ、１６ｂ    導電部
６ｄ    フレキシブル基板
６ｇ    コネクタ
７、７ａ、７ｃ    突起物
７ｂ    フランジ
８    ＬＥＤ
９    フレーム
９ａ    突起物
２１    筐体
２３    キーシート
２４    突起
２５    メタルドームシート
２５ａ    メタルドーム
【図１】
2006066157.tif 000003
【図２】
2006066157.tif 000004
【図３】
2006066157.tif 000005
【図４】
2006066157.tif 000006
【図５】
2006066157.tif 000007
【図６】
2006066157.tif 000008
【図７】
2006066157.tif 000009
【図８】
2006066157.tif 000010
【図９】
2006066157.tif 000011
【図１０】
2006066157.tif 000012
【図１１】
2006066157.tif 000013
【図１２】
2006066157.tif 000014
【図１３】
2006066157.tif 000015